(57)【特許請求の範囲】
【請求項１】
伝送路を介してメッシュ状に接続された複数の通信装置と、該通信装置を監視する監視制御装置とからなる監視制御システムにより実行される監視制御パスの設定方法に於いて、
前記監視制御装置が、複数のポートの識別子と該ポートに接続される他の通信装置の識別子とを対応付けた各通信装置毎の接続情報を基に、各通信装置毎の該通信装置の各ポート間の監視制御データの中継の有無を示す中継情報を作成する手順と、
前記監視制御装置が前記中継情報を前記通信装置に送出する手順と、
前記通信装置がマスク設定によりポート間の監視制御データの中継経路を設定する監視制御データ中継部に於いて、ポート間の中継経路を総てマスクし、且つ前記監視制御装置からの中継情報を受信可能とする初期設定手順を実行した後、前記監視制御装置から受信して中継情報保持部に保持した自通信装置の中継情報に従ってマスク設定を行って監視制御パスを設定する手順と
を前記監視制御システムに実行させることを特徴とする監視制御パス設定方法。
【請求項２】
前記監視制御装置は、全通信装置対応の中継情報を一括して送出し、前記通信装置は自通信装置対応の中継情報を抽出して監視制御パスの設定を行い、該設定された監視制御パスに従って前記監視制御装置からの中継情報の中継送出を行う手順を含むことを特徴とする請求項１記載の監視制御パス設定方法。
【請求項３】
前記監視制御装置が中継情報を前記通信装置に送出する手順は、前記接続情報を参照して、該中継情報に従って形成される監視制御パスが複数の該通信装置間を周回して形成されないと判定された場合に実行されることを特徴とする請求項１又は２記載の監視制御パス設定方法。
【請求項４】
前記監視制御装置は、該監視制御装置の監視制御処理部により収集した各通信装置の中継情報と、該監視制御装置に保持された中継情報とを比較し、比較結果が不一致である通信装置に対して中継情報の再設定を行う手順を含むことを特徴とする請求項１又は２又は３記載の監視制御パス設定方法。
【請求項５】
伝送路を介してメッシュ状に接続された複数の通信装置を監視する監視制御装置を有する監視制御システムに於いて、
前記監視制御装置は、前記通信装置の相互の接続状態を示す接続情報として、前記各通信装置毎に、該通信装置の複数のポートの識別子に対応付けて該ポートに接続される他の通信装置の識別子を保持する接続情報保持部と、
監視制御パスを形成する為の中継情報として、前記各通信装置毎に、該通信装置の各ポート間の監視制御データの中継の有無を示す中継情報を、前記接続情報を基に作成する監視制御パス情報作成部と、
該監視制御パス情報作成部により作成した前記中継情報の前記通信装置への送出の制御及び該通信装置からの中継情報の収集を行う監視制御処理部とを有し、
前記通信装置は、前記監視制御装置から受信した自通信装置の前記中継情報を保持する中継情報保持部と、
前記中継情報保持部に保持した前記中継情報に従ったマスク設定を行った各ポート間の中継経路を設定する監視制御データ中継部と、
初期設定により前記監視制御データ中継部のポート間の中継経路を総てマスクし且つ前記監視制御装置からの中継情報を受信可能とした後に、前記監視制御装置からの設定指示に従って、自通信装置の前記中継情報に基づいて前記監視制御データ中継部にマスク設定を行わせる監視制御処理部とを有する
ことを特徴とする監視制御システム。
【請求項６】
伝送路を介してメッシュ状に接続された複数の通信装置を監視する監視制御システムに於ける監視制御装置に於いて、
前記通信装置の相互の接続状態を示す接続情報として、前記各通信装置毎に、該通信装置の複数のポートの識別子に対応付けて該ポートに接続される他の通信装置の識別子を保持する接続情報保持部と、
監視制御パスを形成する為の中継情報として、前記各通信装置毎に、該通信装置の各ポート間の監視制御データの中継の有無を示す中継情報を、前記接続情報を基に作成する監視制御パス情報作成部と、
該監視制御パス情報作成部により作成した前記中継情報の前記通信装置への送出の制御及び該通信装置からの中継情報の収集を行う監視制御処理部と
を備えたことを特徴する監視制御装置。
【請求項７】
伝送路を介してメッシュ状に接続された複数の通信装置を監視する監視制御システムに於ける通信装置に於いて、
前記監視制御装置から受信した自通信装置の各ポート間の監視制御データの中継の有無を示す中継情報を保持する中継情報保持部と、
前記中継情報に従ったマスク設定によりポート間の中継経路を形成して監視制御パスを設定する監視制御データ中継部と、
初期設定により前記監視制御データ中継部がポート間の中継経路を総てマスクし且つ前記監視制御装置からの中継情報を受信可能とした後に、前記監視制御装置からの設定指示に従って自通信装置の前記中継情報に基づいて前記監視制御データ中継部にマスク設定を行わせる監視制御処理部と
を備えたことを特徴とする通信装置。
【発明の詳細な説明】
【０００１】
【発明の属する技術分野】
本発明は、複数の交換機，データ伝送装置等の通信装置を相互に接続したネットワークに於ける監視制御パス設定方法及び監視制御システム及び監視制御装置及び通信装置に関する。
【０００２】
【従来の技術】
図１９はネットワークの説明図であり、ノード１〜６（交換機等の通信装置）をメッシュ状に接続してネットワークを構成した場合を示し、ＮＳＰは監視制御装置、ＳＰ１〜ＳＰ６は伝送路に設定された監視制御パス、Ｌ１〜Ｌ３は監視制御パスが設定されていない伝送路を示す。実際には、更に多数のノードが接続されてネットワークを構成している。
【０００３】
監視制御装置ＮＳＰは、二重線で示す監視制御パスＳＰ１〜ＳＰ６を介してノード１〜６の状態情報等を収集してネットワークの監視を行い、又監視制御装置ＮＳＰから制御情報を指定したノードに送出して、ネットワークを制御するものである。
【０００４】
図２０は従来例の監視制御装置の説明図であり、監視制御装置１１０は、ノードとの間で通信を行う監視制御ＩＦ（インタフェース）部１１１と、ノードに対する監視制御データの送出や収集したノードの状態情報等の処理を行う監視制御処理部１１２と、処理結果等を表示する状態表示部１１３とを含む構成を有するものである。
【０００５】
図２１は従来例のノードの説明図であり、１２１は監視制御ＩＦ部、１２２は監視制御処理部、１２３は監視制御データ入力部、１２４は監視制御データ出力部、１２５は入力ポートと出力ポートとのポート（１）〜（Ｎ）を有する監視制御データ中継部、１２６は伝送路１〜（Ｎ−１）対応の監視制御データ入力部、１２６は伝送路１〜（Ｎ−１）対応の監視制御データ出力部を示す。なお、図１９に於ける監視制御装置（ＮＳＰ）１１０が接続されたノード１に相当する場合を示すものであるが、他のノードも同様な構成を有するものである。
【０００６】
図２２は従来例の監視制御データ中継部の説明図であり、１３０は多重部、１３１1 〜１３１N はマスク部、１３２1 〜１３２N は入力処理部、１３３は出力処理部、１３４はハードウェアスイッチ部である。なお、下方の出力ポート１〜Ｎ対応の多重部１３０1 〜１３０N の一つの多重部１３０の構成を示し、マスク部１３１1 〜１３１N によりマスクするか否かをハードウェアスイッチ部１３４により設定する。
【０００７】
例えば、入力ポート１，２からの入力を多重化して出力ポート１に出力する場合、多重部１３０1 のマスク部１３１1 ，１３１2 を開いて、他のマスク部１３１3 〜１３０N を閉じるように、ハードウェアスイッチ部１３４に設定することになる。又監視制御処理部１２２を、監視制御データ中継部１２５の入力ポート１〜（Ｎ−１）と出力ポート１〜（Ｎ−１）とに接続する場合、多重部１３０N のマスク部１３１N のみをマスク処理するようにハードウェアスイッチ部１３４に設定することになる。
【０００８】
【発明が解決しようとする課題】
ネットワークを構成する各ノードと、監視制御装置ＮＳＰとが監視制御パスを介して接続されることにより、監視制御装置ＮＳＰに於いて各ノードの監視制御が可能となる。その為には、監視制御データ中継部１２５を構成する多重部１３０のハードウェアスイッチ部１３４に、マスク部１３１1 〜１３１N に於けるマスク処理の有無を設定する必要がある。
【０００９】
その場合、ポート数が多く、又ノード数が多い場合は、ハードウェアスイッチ部１３４の設定作業量が多くなる問題と、設定ミスが発生する問題がある。例えば、図１９に於いて、ノード３とノード５との間に監視制御パスＳＰ５が設定され、ノード３とノード６との間に監視制御パスＳＰ６が設定されているが、ノード５とノード６との間にも監視制御パスが設定されると、例えば、監視制御データがノード３→ノード５→ノード６→ノード３の経路で周回することになる。この場合、ノード３はノード２と監視制御装置ＮＳＰとの間の中継も行うものであり、監視制御データがネットワーク全体に伝搬すると、正常なネットワークの運用ができなくなる問題がある。
【００１０】
又監視制御データが周回するような監視制御パスが存在するか否かは、各ノードのハードウェアスイッチ部１３４の設定データを収集して判定することが考えられるが、データの周回が発生している場合には、設定データの収集もトラフィックの輻輳により困難となる。従って、監視制御パスの設定誤り等が発生すると、各ノードのハードウェアスイッチ部１３４の設定データの点検が必要となり、膨大な作業となる問題がある。
本発明は、監視制御装置に於いて監視制御パスの設定，変更等を一元管理することを目的とする。
【００１１】
【課題を解決するための手段】
本発明の監視制御パス設定方法は、複数の通信装置、即ち、複数のノードを伝送路を介して接続し、監視制御装置によって各ノードを監視する為の監視制御パスを設定する方法であり、図１を参照して説明すると、伝送路を介してメッシュ状に接続された複数の通信装置、即ち、ノード１〜６と、各ノード１〜６を監視する監視制御装置（ＮＳＰ）１０とからなる監視制御システムに於ける監視制御パスの設定方法であって、監視制御装置１０が、複数のポートＰ１〜Ｐ５の識別子と、ポートＰ１〜Ｐ５に接続される他のノード１〜６の識別子とを対応付けた各ノード１〜６毎の接続情報を基に、各ノード１〜６毎の各ポートＰ１〜Ｐ５間の監視制御データの中継の有無を示す中継情報を作成する手順と、監視制御装置１０が中継情報をノード１〜６に送出する手順と、ノード１〜６がマスク設定によりポートＰ１〜Ｐ５間の監視制御データの中継経路を設定する監視制御データ中継部２５に於いて、ポートＰ１〜Ｐ５間の中継経路を総てマスクし、且つ監視制御装置１０からの中継情報を受信可能とする初期設定手順を実行した後、監視制御装置１０から受信して中継情報保持部に保持した自ノードの中継情報に従ってマスク設定を行って監視制御パスを設定する手順とを含むものである。
【００１２】
この中継情報を転送して監視制御パスを設定する為に、監視制御装置１０からの論理距離に従った順序でノードを指定して中継情報を送出するか、又は監視制御装置１０から各ノードの中継情報を一括して送出し、自ノードに対する中継情報を抽出して監視制御データ中継部２５による中継経路を設定し、他のノードに中継情報を中継送出することができる。その場合、二重設定処理を回避する為に、設定済みを示す設定識別子を設けることができる。
【００１３】
又通信装置、即ち、ノードを増設した場合や接続変更或いは保守等による中継情報の消失等の場合に、監視制御装置１０から同報通信により初期設定を指示し、その後、論理距離に従って順次ノードを指定して中継情報を送出するか、又は各ノードに対する中継情報を一括して送出し、各ノードは自ノードの中継情報を抽出して設定し、新たな監視制御パスを設定することができる。
【００１４】
又監視制御装置１０に於いて作成した中継情報による監視制御パスが周回状態を形成するか否かを接続情報を参照して判定し、周回状態を形成しない場合に、前述のように各通信装置に中継情報を送出することができる。又各ノードは、受信した中継情報が正常であるか否かをチェックコード等によってチェックし、正常の場合のみ監視制御データ中継部のマスク設定を可能とすることができる。
【００１５】
又本発明の監視制御システムは、伝送路を介して接続された複数の通信装置、即ち、ノードを監視する監視制御装置１０を有する監視制御システムであって、監視制御装置１０は、ノード１〜６の相互の接続状態を示す接続情報を保持する接続情報保持部と、監視制御パスを形成する為の中継情報を、接続情報を基に作成して保持する監視制御パス情報保持部と、ノード１〜６に中継情報の送出の制御及び前記通信装置からの情報収集を行う監視制御処理部とを有し、又各ノード１〜６は、自ノードの中継情報を保持する中継情報保持部と、中継情報に従ったマスク設定を行ってポート間の中継経路を設定する監視制御データ中継部２５と、監視制御装置からの設定指示に従って監視制御データ中継部２５のマスク設定を行わせる監視制御処理部Ｃとを有するものである。
【００１６】
又本発明の監視制御装置は、ノード１〜６の相互の接続状態を示す接続情報を保持する接続情報保持部と、監視制御パスを形成する為の中継情報を、接続情報を基に作成する監視制御パス情報作成部と、この監視制御パス情報作成部により作成された中継情報を保持する中継情報保持部と、この中継情報保持部に保持されたノード１〜６対応の中継情報を、ノード１〜６に送出する制御を行う監視制御処理部とを備えている。
【００１７】
又監視制御装置は、接続情報保持部に保持された接続情報を参照して、監視制御パス情報保持部に保持された中継情報をチェックし、監視制御パスが周回経路を形成しているか否かを判定する監視制御パスチェック部を備えることができる。又監視制御パス情報保持部に保持された中継情報と、各ノードから収集した中継情報とを比較し、正常に中継情報がノードに設定されたか否かを判定する監視制御パス情報比較部を備えることができる。
【００１８】
又本発明の通信装置、即ち、ノードは、監視制御装置１０からの中継情報を保持する中継情報保持部と、この中継情報保持部に保持された中継情報に従ったマスク設定によりポート間の中継経路を形成して監視制御パスを設定する監視制御データ中継部２５と、この監視制御データ中継部２５及び中継情報保持部を制御する監視制御処理部Ｃとを備えている。
【００１９】
又通信装置は、中継情報保持部に保持された監視制御装置からの中継情報が正常であるか否かを判定し、異常の判定の時に、監視制御データ中継部２５のマスク設定の変更を中止させる中継情報判定部を備えることができる。又中継情報保持部に前記監視制御装置からの中継情報を設定したか否かを示す設定識別子及び該中継情報の版数情報を保持する設定識別子／中継情報版数保持部と、中継情報を受信した時に、設定識別子が設定済みを示す時は無処理とし、設定済みを示さない時に受信した中継情報を中継情報保持に保持し、且つ設定識別子を設定済みに設定する監視制御処理部Ｃとを備えることができる。
【００２０】
【発明の実施の形態】
図１は本発明の実施の形態の監視制御システムの説明図であり、１〜６はノード（ネットワークを構成する通信装置）、１０はワークステーション等により構成される監視制御装置（ＮＳＰ）、Ｐ１〜Ｐ５はポート、Ｃは監視制御処理部、ＩＦは監視制御ＩＦ（インタフェース）部、２５は監視制御データ中継部を示す。又二重線は伝送路上の監視制御パス、細線は監視制御パスが設定されていない伝送路を示す。
【００２１】
各ノード１〜６は、ポートＰ１〜Ｐ５を有する監視制御データ中継部２５と、ポートＰ５に接続した監視制御処理部Ｃと、監視制御装置１０等を接続する監視制御ＩＦ部ＩＦとを備えている。又監視制御装置１０をノード１の監視制御ＩＦ部ＩＦに接続した場合を示し、監視制御装置１０は、ノード１〜６の初期設定時に於いても、ノード１の監視制御処理部Ｃとの間で通信が可能となる。
【００２２】
監視制御装置１０は、ノード１〜６の相互の接続状態を基に接続情報を作成し、この接続情報を基に監視制御バスを形成する為の各ノード１〜６対応の中継情報を作成し、この中継情報により形成される監視制御パスが周回状態となるか否かをチェックし、周回状態を形成しない場合に、この中継情報をノード１〜６に送出することになる。
【００２３】
各ノード１〜６は、自ノード対応の中継情報を受信して、監視制御データ中継部２５によりポート間の中継経路を設定することにより、監視制御パスを形成する。図示の構成に於いては、ノード１のポートＰ３とノード２のポートＰ１とを接続し、ノード１のポートＰ４とノード３のポートＰ１とを接続して、それぞれ二重線で示す監視制御パスを設定し、ノード２のポートＰ４とノード３のポートＰ２とを細線で示す伝送路で接続し、又ノード２のポートＰ３とノード４のポートＰ１とを接続し、ノード３のポートＰ３とノード５のポートＰ１とを接続し、ノード３のポートＰ４とノード６のポートＰ１とを接続して、それぞれ二重線で示す監視制御パスを設定し、ノード５のポートＰ２とノード４のポートＰ４とを細線で示す伝送路で接続し、ノード５のポートＰ４とノード６のポートＰ２とを細線で示す伝送路で接続する。
【００２４】
従って、監視制御装置１０から例えばノード６に対する監視制御データは、ノード１のポートＰ４→ノード３のポートＰ１→監視制御データ中継部２５→ポートＰ４→ノード６のポートＰ１→監視制御データ中継部２５→ポートＰ５→監視制御処理部Ｃに転送される。
【００２５】
図２は本発明の実施の形態の監視制御装置の説明図であり、図１の監視制御装置（ＮＳＰ）１０の要部構成を示し、１１は監視制御ＩＦ部、１２は監視制御処理部、１３は状態表示部、１４は監視制御パス情報比較部、１５は監視制御パス情報作成部、１６は監視制御パスチェック部、１７は監視制御パス情報保持部、１８は接続情報保持部、１９は接続情報作成部を示す。
【００２６】
監視制御パス情報作成部１５は、ネットワーク内の各ノードの相互間の接続構成を示す接続情報を基に、監視制御パスを形成する為のノード対応の中継情報を作成し、監視制御パス情報保持部１７に格納する。又接続情報作成部１９によりノード間の接続構成を示す前述の接続情報を作成して接続情報保持部１８に格納する。
【００２７】
又監視制御パスチェック部１６は、監視制御パス情報保持部１７に保持された各ノード対応の中継情報と、接続情報保持部１８に保持された各ノード対応の接続情報とを基に、中継情報によって形成される監視制御パスが周回状態となるか否かをチェックする。チェック結果を監視制御処理部１２に通知する。監視制御処理部１２は、周回状態が発生しない中継情報を、監視制御ＩＦ部１１を介してノードに送出する。
【００２８】
状態表示部１３は、監視制御処理部１２による各種の処理結果等を表示する。又各ノードの状態情報を収集して表示する。或いは、監視制御処理部１２の制御により、監視制御パス情報保持部１７に保持されている中継情報や、接続情報保持部１８に保持されいている接続情報を表示することも可能である。又監視制御処理部１２は、中継情報を読出して監視制御ＩＦ部１１を介してノードに送出し、又ノードに設定した中継情報を監視制御ＩＦ部１１を介して収集して、監視制御パス情報保持部１７に保持された中継情報と、収集した中継情報とを、監視制御パス情報比較部１４に於いて比較し、比較結果を監視制御処理部１２に転送する。又監視制御処理部１２から状態表示部１３にノードの状態情報等を表示させる。
【００２９】
図３は本発明の実施の形態のノードの説明図であり、ネットワークを構成する交換機，データ伝送装置等の通信装置、即ち、図１のノード１〜６の要部構成を示し、２１は監視制御ＩＦ部、２２は監視制御処理部、２３は監視制御データ入力部、２４は監視制御データ出力部、２５は監視制御データ中継部、２５ａはマスク設定部、２６は伝送路１〜（Ｎ−１）対応の監視制御データ入力部、２７は伝送路１〜（Ｎ−１）対応の監視制御データ出力部、２８は中継情報保持部、２９は設定識別子／中継情報版数保持部を示す。
【００３０】
監視制御データ中継部２５のポート（１）〜（Ｎ−１）が図１のポートＰ１〜Ｐ４に対応し、ポート（Ｎ）が図１のポートＰ５に対応し、監視制御処理部２２が図１の監視制御処理部Ｃに対応する。従って、図３は、図１のノード１に相当して、このノードの監視制御ＩＦ部２１に監視制御装置（ＮＳＰ）１０を接続した場合を示す。
【００３１】
又中継情報保持部２８は、監視制御装置１０からの監視制御データの中継経路を示す中継情報を保持するもので、この中継情報を基に監視制御処理部２２は、監視制御データ中継部２５のマスク部２５ａを制御する。即ち、各ノード対応の中継情報を監視制御装置１０から設定することにより、各ノードの監視制御データ中継部２５のマスク部２５ａにマスク設定を行うことが可能となる。
【００３２】
又設定識別子／中継情報版数保持部２９は、マスク設定する場合の中継情報の設定済みか否かを示す設定識別子と、その場合の中継識別子による中継情報の版数等を保持するもので、監視制御処理部２２は、監視制御装置から受信した中継情報の版数と保持している中継情報の版数とを比較し、同一版数の場合は既に中継情報保持部２８に保持されていると判定することができる。又後述のように、設定識別子により、既に中継情報が設定済みであるか否かを簡単に判定することができる。
【００３３】
図４は本発明の実施の形態の監視制御データ中継部の説明図であり、図１及び図３の監視制御データ中継部２５の要部構成を示し、下方の出力ポート１〜Ｎ対応のそれぞれ同一構成の多重部３０1 〜３０N の一つを、上方に多重部３０として示す。この多重部３０は、入力ポート１〜Ｎ対応のマスク部３１1 〜３１N と、入力処理部３２1 〜３２N と、多重化して出力する出力処理部３３と、マスク設定部３４（図３のマスク設定部２５ａに相当する）とを備えている。又２２は監視制御処理部、２８は中継情報保持部、３５は中継情報判定部を示す。
【００３４】
監視制御処理部２２と監視制御データ中継部２５との間は、図３に於いては監視制御データ入力部２３と監視制御データ出力部２４とを介して接続される構成を示すが、図４はこれらの図示を省略している。又中継情報保持部２８と監視制御データ中継部２５との間に、中継情報判定部３５を設けている。
【００３５】
又入力ポート１〜Ｎ対応のマスク部３１1 〜３１N にマスクするか否かの情報をマスク設定部３４に設定するもので、この設定は監視制御装置からの中継情報を基に前述のように監視制御処理部２２により行うもので、例えば、入力ポート１と出力ポート１との間に監視制御データを中継する場合、多重部３０1 のマスク部３１1 を除く他のマスク部に対してマスク設定を行うことにより、入力ポート１からマスク部３１1 ，入力処理部３２1 ，出力処理部３３を介して出力ポート１に出力される。又入力ポート１，２と出力ポート２との間に監視制御データを中継する場合、多重部３０2 のマスク部３１1 ，３１2 を除く他のマスク部に対してマスク設定を行う。それによって、入力ポート１，２から多重部３０2 のマスク部３１1 ，３１2 と入力処理部３２1 ，３２2 と出力処理部３３とを介して多重化されて出力ポート２に出力される。
【００３６】
なお、中継情報判定部３５は、マスク設定部３４に中継情報に基づいてマスク設定を行う場合、その中継情報に付加されているチェックコード等を用いてチェックし、チェック結果をマスク設定部３４に通知する。正常の場合、マスク設定部３４に中継情報保持部２８に保持された中継情報を基にマスク設定を行う。又異常の場合、マスク設定部３４は、この中継情報を基にしたマスク設定を行わない。又監視制御処理部２２に通知し、監視制御処理部２２から監視制御装置に中継情報が異常であることを通知し、監視制御装置から中継情報の再設定を行うように制御する。それにより誤設定を防止することができる。
【００３７】
図５は監視制御パス情報の説明図であり、監視制御装置１０の監視制御パス情報保持部１７に保持されている監視制御パス情報の一例を示し、管理ノード数Ｍと、ノード１〜Ｍ対応の中継情報とを含み、各中継情報は、ノード番号と中継情報識別子（版数）とポート数と入力ポート１〜Ｎ対応にポート間の接続の有無を示すものである。
【００３８】
図６は接続情報の説明図であり、監視制御装置１０の接続情報保持部１８に  保持されている接続情報の一例を示し、ＮＳＰからの論理距離が０となるノード番号、即ち、監視制御装置ＮＳＰが接続されるノード番号と、管理ノード数と、ノード１〜Ｍ対応の接続情報とを含み、各接続情報は、ノード番号とポート数とポート１〜Ｎ対応の入力側に接続されているノード番号と出力側に接続されているノード番号とを示すものである。
【００３９】
例えば、図１に示す監視制御システムに於いては、監視制御装置１０からの論理距離が０となるノードはノード１であり、論理距離が１となるノードはノード２，３である。又ノード１〜６の場合、管理ノード数Ｍ＝６となる。又ノード１の接続情報は、ポートＰ３についてノード２が接続され、ポートＰ４についてノード３が接続されている情報となる。又ノード３の接続情報は、ポートＰ１にノード１、ポートＰ２にノード２、ポートＰ３にノード５、ポートＰ４にノード６がそれぞれ接続されている情報となる。
【００４０】
図７はノードの初期設定の説明図であり、システム立上時や監視制御装置からの初期設定の制御により、（Ａ）に示すように、監視制御データ中継部２５は、ポート１〜４とポート５との間のみを接続し、ポート５に接続した監視制御処理部２２が任意のポートとの間で通信を可能とし、（Ｂ）に示すように、監視制御データ中継部２５のポート１〜４間は、×印で示すように通信できない状態とする。
【００４１】
例えば、図４に於いて、監視制御処理部２２が接続されるポートを出力ポート５とすると、多重部３０5 のマスク部３１1 〜３１5 により入力ポート１〜５をマスクしないようにマスク設定部３４に設定し、他の出力ポート１〜４に対応する多重部３０1 〜３０4 のマスク部３１1 〜３１5 は、監視制御処理部２２が接続される入力ポート５に対応するマスク部３１5 のみをマスクしないが、他のマスク部３１1 〜３１4 はマスクするように設定する。
【００４２】
従って、（Ａ）の実線矢印で示すように、監視制御処理部２２が接続されたポートＰ５と他のポートＰ１〜Ｐ４との間は相互に通信可能であるが、ポートＰ１〜Ｐ４の相互間は、（Ｂ）に点線矢印で且つ×印で示すように通信は不可能の状態となる。
【００４３】
図８は監視制御パス設定手順の説明図であり、（Ａ）は監視制御装置ＮＳＰからの論理距離０のノード１との間に監視制御パスを設定した状態を示す。即ち、監視制御装置ＮＳＰとノード１とは、図１に示すように、監視制御ＩＦ部を介して監視制御処理部Ｃとが接続され、この監視制御処理部Ｃと監視制御データ中継部２５のポートＰ５と接続されて、監視制御装置ＮＳＰからの監視制御データはノード１には転送される状態となる。従って、監視制御装置ＮＳＰからノード１に中継情報を送出して監視制御パスの設定を行わせると、ノード１は、監視制御装置ＮＳＰからの中継情報をノード２，３に中継送出することが可能となる。なお、他のノード２〜６はそれぞれ図７について説明したように初期設定されている。
【００４４】
又図８の（Ｂ）は監視制御装置ＮＳＰからの論理距離１までの監視制御パスを設定した状態を示す。即ち、ノード１とノード２との間及びノード１とノード３との間に監視制御パスを設定した状態を示す。この状態に於いて、ノード２はノード４に対して中継情報を中継送出可能の状態となり、又ノード３はノード５，６に対して中継情報を中継送出可能の状態となる。又（Ｃ）は監視制御装置ＮＳＰから論理距離２までの監視制御パスを設定した状態を示す。即ち、ノード１とノード４との間及びノード３とノード５，６との間にそれぞれ監視制御パスを設定した状態を示す。
【００４５】
図９は論理距離に従った設定シーケンス説明図であり、監視制御装置ＮＳＰとノード１，２，３，・・・６とについての監視制御パスの設定シーケンスを示し、ノード４，５については複雑化を避ける為に図示を省略している。ノード１，２，３，・・・６は、初期起動として、図７について説明した初期設定を行う。即ち、各ノード１〜６は、中継送出はしないが、ポートに入力された情報は、それぞれの監視制御処理部２２により受信可能となる。
【００４６】
又監視制御装置ＮＳＰは、監視制御パス情報作成と接続情報作成とを行った後、論理距離０のノード番号読出しを行う。監視制御パス情報作成は、監視制御装置ＮＳＰから各ノードを介した監視制御パスの情報であり、図２に於ける監視制御パス情報作成部１５により作成して監視制御パス情報保持部１７に保持する。又接続情報作成は、ネットワークのノード間の接続を示す情報であり、接続情報作成部１９により作成して接続情報保持部１８に保持する。
【００４７】
その場合に、ノードに番号を付与し、ノード間の接続を示す接続情報を基に、監視制御装置ＮＳＰが直接的に接続されるノードを論理距離０とし、このノードに接続されるノードを論理距離１とするように、監視制御装置ＮＳＰに対する接続順を示す論理距離とノード番号とを対応させて、接続情報保持部１８に保持することもできる。例えば、ノード１〜６をノード番号１〜６とし、論理距離０＝ノード番号１、論理距離１＝ノード番号２，３、論理距離２＝ノード番号４，５，６のように設定することができる。
【００４８】
そして、監視制御パスチェック部１６により、接続情報保持部１８に保持された接続情報を参照して、監視制御パス情報保持部１７に保持された中継情報による監視制御パスが、データ周回等を生じないものであるか否か等をチェックし、チェック結果を監視制御処理部１２に通知する。監視制御処理部１２は、このチェック結果が正常であることを示す場合に、この監視制御パスに対応する中継情報の送信を可能とする。
【００４９】
そして、論理距離０のノード番号を読出して設定指示を送出する。前述のように、論理距離とノード番号とを対応させて格納している場合は、論理距離０のノード１の番号が読出される。そして、監視制御パス情報に従ったノード１の中継情報を送信し、設定指示を行う。この中継情報は、ノード番号等による宛先と、設定指示を示す情報等を含むものである。
【００５０】
ノード１に於いては、図３を参照すると、監視制御装置ＮＳＰからの中継情報は、監視制御ＩＦ部２１から監視制御処理部２２に転送される。監視制御処理部２２は、自ノード宛の中継情報であることを宛先のノード番号等により判定し、中継情報保持部２８に中継情報を格納する。そして、監視制御処理部２２から監視制御データ中継部２５のマスク設定部２５ａに設定要求を行う。マスク設定部２５ａは中継情報に従って多重部のマスク部に対するマスク設定を行う。この設定完了により、監視制御処理部２２は設定の完了通知を監視制御装置ＮＳＰ宛に送出する。
【００５１】
この場合、ノード１は、ポートＰ５とポートＰ３とポートＰ４との間の経路で監視制御データの中継を行うことになり、初期設定の状態、即ち、図７に示すように、ポートＰ５と他のポートＰ１〜Ｐ４との間の経路の中のポートＰ１，Ｐ２にはノードが接続されていないので、そのまま或いはポートＰ１，Ｐ２に対してはマスク設定し、ポートＰ３，４間のマスクを解除することになる。
【００５２】
監視制御装置ＮＳＰは、論理距離０のノード１からの設定の完了通知により、次の論理距離１のノード番号を読出し、設定指示を行う。例えば、論理距離１の番号２のノード２に対する中継情報を送出して設定指示を行う。ノード２は、自ノード宛の中継情報を前述のように識別して中継情報保持部２８に保持し、監視制御データ中継部２５のマスク部２５ａに中継情報に従ったマスク設定を行う。そして、設定の完了通知を監視制御装置ＮＳＰに対して行う。監視制御装置ＮＳＰは、ノード３に対する中継情報を送信し、設定指示を行う。ノード３は、自ノード宛の中継情報を同様に受信して保持し、監視制御データ中継部２５のマスク部２５ａにマスク設定を行う。そして、設定の完了通知を監視制御装置ＮＳＰに対して行う。
【００５３】
監視制御装置ＮＳＰは、論理距離１のノードに対する中継情報の送出が終了し、設定の完了通知を受信すると、次の論理距離２のノード番号を読出し、前述と同様に、順次ノードを指定して中継情報を送信して設定指示を行い、ノードからの設定の完了通知により、次のノードに対する中継情報の送信と設定指示とを順次行う。
【００５４】
そして、監視制御装置ＮＳＰは、最終のノード６からの設定の完了通知を受信すると、設定完了と判定し、同報通信により情報収集を行う。それにより、各ノードは、中継情報保持部２８に保持している自ノードの中継情報を監視制御処理部２２の制御により送出する。監視制御装置ＮＳＰは、収集した中継情報を、監視制御パス情報比較部１４に転送し、監視制御パス情報保持部１７に保持されたノード対応の中継情報と比較し、比較結果を監視制御処理部１２に転送する。比較一致の場合に正常終了となる。又比較不一致のノードに対しては、再設定の操作を行うことになる。このようにして、監視制御装置ＮＳＰから各ノードに監視制御データを中継する中継情報を設定することができる。
【００５５】
図１０は一括送信による設定シーケンス説明図であり、監視制御装置ＮＳＰとノード１，２，３，４，・・６とについて示し、監視制御装置ＮＳＰの監視制御パス情報作成と、ノード１〜６の初期起動については図９に示す場合と同様である。そして、各ノード１〜６対応の中継情報をそれぞれノード番号等により指定して一括して監視制御装置ＮＳＰからノード１に送出して設定指示を行う。
【００５６】
この場合の設定指示は、各ノード１〜６が初期化状態であって、中継機能を備えていない状態であるから、ノード１のみの監視制御処理部２２が受信可能の状態となっており、中継情報を受信して保持し、監視制御処理部２２は自ノード１宛の中継情報を抽出して中継情報保持部２８に保持し、この中継情報を基に監視制御データ中継部２５のマスク部２５ａにマスク設定し、設定識別子／中継情報版数保持部２９の設定識別子を設定済みとする。それにより、監視データ中継部２５に中継経路が設定されるから、監視制御処理部２２は、保持していた一括中継情報を、監視制御データ中継部２５に形成された中継経路を介して次のノードに送出する。この場合、ノード１のポートＰ３からノード２に、又ポートＰ５からノード３に送出することになる。
【００５７】
ノード２，３は、それぞれ監視制御処理部２２が受信可能で中継経路は設定されていないが、監視制御処理部２２は何れのポートの受信情報も受信可能であるから、一括中継情報の中の自ノード宛の中継情報を抽出して中継情報保持部２８に保持し、マスク設定を行い、又設定識別子を設定済みとする。この中継情報の設定によりノード２，３は中継経路が監視制御データ中継部２５に形成されるから、その中継経路を介して一括中継情報を中継送出する。この場合、ノード２は、ノード１，３，４に、又ノード３は、ノード１，２，５，６にそれぞれ中継情報を送出する。
【００５８】
ノード１は、ノード２，３からの一括中継情報を受信すると、自ノード宛の中継情報については設定識別子が設定済みであるから、処理なしとする。又ノード４は、ノード２からの中継情報を受信して自ノード宛の中継情報を抽出して保持し、マスク設定を行い、設定識別子を設定済みとし、又ノード５，６はノード３からの中継情報をそれぞれ受信して、自ノード宛の中継情報を抽出して保持し、マスク設定を行い、設定識別子を設定済みとする。
【００５９】
次に、ノード４，５，６からそれぞれ一括中継情報を送出する。この場合、ノード４からノード１〜３，５，６に、又ノード５からノード１〜４，６に、又ノード６からノード１〜５にそれぞれ一括中継情報が転送される。各ノード１〜６では、それぞれ一括中継情報を受信するが、設定識別子がそれぞれ設定済みを示すから、無処理とする。
【００６０】
監視制御装置ＮＳＰは、設定指示を送出してから例えば所定時間後に情報収集指示を行う。それに対して、各ノード１〜６は、中継情報保持部２８に保持している自ノードの中継情報を監視制御装置ＮＳＰに送出する。監視制御装置ＮＳＰは、収集した中継情報を、監視制御パス情報比較部１４に転送し、監視制御パス情報保持部１７に保持されたノード対応の中継情報と比較し、比較結果を監視制御処理部１２に転送する。比較一致の場合に正常終了となる。又比較不一致のノードに対しては、そのノードを指定して中継情報の再設定の操作を行うことになる。一括中継情報による監視制御パスの設定は、全ノードの中継情報を１回送出するだけであるから、監視制御装置ＮＳＰの処理が簡単となる。
【００６１】
図１１は監視制御パス設定の説明図であり、（Ａ）は図１に示すネットワーク構成であるが、ノード３とノード５，６との間に二重線で示す監視制御バスが設定されていない状態を示す。例えば、保守等の為に、ノード３に於けるパッケージ交換等を行ったことにより、中継情報の変化或いは消失となって、ノード３とノード５，６との間の監視制御パスが設定されていない状態となった場合を示す。従って、監視制御装置ＮＳＰの監視制御パス情報保持部１７に保持しているノード３の中継情報と不一致の状態となった場合である。
【００６２】
監視制御装置ＮＳＰは、このような状態を、ノード３からの通知或いは定期的なノード１〜６からの中継情報の収集比較等により識別することができる。その場合、監視制御装置ＮＳＰは、中継情報の不一致のノードを確認し、そのノードに対し中継情報の再設定を行い、（Ｂ）に示すように、ノード３とノード５，６との間に、二重線で示す監視制御パスを設定することができる。
【００６３】
図１２は監視制御パスの設定シーケンス説明図であり、監視制御装置ＮＳＰとノード１〜６とは、既に運用中であり、ノード３に於いて保守交換を行ったことにより、図１１の（Ｂ）の監視制御パスの状態から、（Ａ）の監視制御パスとなった場合であり、監視制御装置ＮＳＰは、この状態を前述のように識別すると、情報収集を行う。即ち、各ノード１〜６の中継情報の収集を行う。
【００６４】
そして、監視制御装置ＮＳＰは、監視制御パス情報比較部１４に於いて、監視制御処理部１２から転送された収集中継情報と、監視制御パス情報保持部１７に保持されている中継情報とについてノード対応に比較する。この場合、ノード３の中継情報の不一致を検出することになる。
【００６５】
そして、監視制御パス情報保持部１７に保持されているノード３の中継情報をノード３に対して送出し設定指示を行う。ノード３は、この中継情報を受信し、中継情報保持部２８に保持し、マスク設定部２５ａにマスク設定し、完了通知を監視制御装置ＮＳＰに送出する。
【００６６】
監視制御装置ＮＳＰは、収集指示により情報収集を再度行う。そして、各ノード１〜６から収集した中継情報と、監視制御パス情報保持部１７に保持されている中継情報とを、監視制御パス情報比較部１４に於いて比較し、比較一致の場合に正常確認として、監視制御パス設定の処理を終了する。
【００６７】
図１３はノード増設の説明図であり、（Ａ）はノード７を、ノード３とノード６との間に増設した場合を示し、（Ｂ）はノード７を介してノード３とノード６との間に監視制御パスを設定した状態を示す。この場合、ノード３は、ノード６が接続されていたポートにノード７を接続することにより、ノード３とノード７との間に監視制御パスが設定される。しかし、ノード７は中継情報が設定されていないので、ノード７とノード６との間には監視制御パスは設定されない。そこで、監視制御装置ＮＳＰからノード７に中継情報を設定して、ノード６との間の監視制御パスを（Ｂ）に示すように設定する。
【００６８】
図１４はノード増設時の設定シーケンス説明図であり、監視制御装置ＮＳＰとノード１〜６とは運用中で、ノード７を新規増設し、初期起動して、ノード７の各ポートと監視制御処理部との間の送受信が可能となるように、監視制御データ中継部２５のマスク部２５ａのマスク初期設定を行う。
【００６９】
監視制御装置ＮＳＰは、ノード７の増設の情報又は定期的なノード１〜６との間の通信等により、ノード６との間の通信不可能を検出し、ノード７の増設による接続情報をもとに監視制御パス情報を作成し、ノード７に於ける中継情報を送出して設定指示を行う。ノード７は、この中継情報を受信し、中継情報保持部２８に保持し、マスク設定部２５ａにマスク設定し、完了通知を監視制御装置ＮＳＰに送出する。
【００７０】
監視制御装置ＮＳＰは、設定の完了通知を受信すると、同報通信による収集指示を送出し、各ノード１〜７から収集した中継情報と、監視制御パス情報保持部１７に保持されている中継情報とを、監視制御パス情報比較部１４に於いて比較し、比較一致の場合に正常確認として、監視制御パス設定の処理を終了する。即ち、図１３の（Ａ）に示すように、ノード３，６間にノード７を増設した場合、ノード７に対して中継情報を設定することにより、図１３の（Ｂ）に示す監視制御パスを設定することができる。従って、各ノードに増設したノードを接続した場合も、同様にして監視制御パスを設定することができる。
【００７１】
図１５は監視制御パス変更の説明図であり、（Ａ）は、図１，図８の（Ｃ），図１１の（Ｂ）にそれぞれ示す監視制御パスの設定状態を示し、（Ｂ）は、ノード３，６間の監視制御パスを、ノード５，６間に設定変更した状態を示す。
【００７２】
図１６は同報通信による設定変更のシーケンス説明図であり、監視制御装置ＮＳＰとノード１〜６とが図１５の（Ａ）に示すように監視制御パスが設定されて運用中に於いて、ノード６に対する監視制御パスをノード３からノード５に変更する場合、監視制御装置ＮＳＰは、接続情報を基に監視制御パス情報を作成し、ノード１〜６対応の新たな中継情報を、同報通信により送出して設定指示を行う。各ノード１〜６は、既に形成されている監視制御パスを介して中継送出すると共に、自ノードの中継情報を抽出して、中継情報保持部２８に保持し、監視制御データ中継部２５のマスク部２５ａのマスク設定を行う。
【００７３】
そして、監視制御装置ＮＳＰは、各ノード１〜６からの設定の完了通知又は設定指示から所定時間経過後に、情報収集指示を行い、各ノード１〜６からの中継情報を収集し、各ノード１〜６から収集した中継情報と、監視制御パス情報保持部１７に保持されている中継情報とを、監視制御パス情報比較部１４に於いて比較し、比較一致の場合に正常確認として、監視制御パス設定の処理を終了する。前述のように、監視制御パスの変更を、監視制御装置ＮＳＰからの中継情報の同報通信により一斉に行うことができる。
【００７４】
この場合、各ノード１〜６は、受信抽出した自ノードの中継情報と、中継情報保持部２８に保持されている中継情報とを監視制御処理部２２に於いて比較し、比較一致の場合に、マスク設定を前回のままとすることができる。或いは、中継情報が前回と同一の場合、中継情報の版数が同一であるから、設定識別子／中継情報版数保持部２９に保持されている中継情報版数と、今回の同報通信により受信した中継情報の版数とを監視制御処理部２２に於いて比較し、版数が同一の場合に、設定変更の処理を終了とすることができる。
【００７５】
又図１０に於いては、監視制御装置ＮＳＰから各ノード１〜６に対する中継情報を一括して送出し、各ノード１〜６は、監視制御処理部による処理によって中継情報の設定及び同報通信による中継送出を行う場合を示し、論理距離に従った順序でノードに中継情報が設定され、監視制御装置ＮＳＰの処理が比較的簡単でである利点がある。これに対して、図１６に於いては、監視制御装置ＮＳＰが各ノード１〜６の設定変更の中継情報を同報通信により一括して送出し、各ノード１〜６は、既に運用中の中継経路によって中継送出を行うと共に、自ノード宛の中継情報を抽出して設定変更を行うものであり、中継経路が設定されている場合の中継情報の設定が同報通信によって短時間で済む利点がある。
【００７６】
図１７は順次設定指示による設定変更のシーケンス説明図であり、監視制御装置ＮＳＰとノード１，２，３，・・・６とが運用中に、前述のように、監視制御パスの変更の為に、接続情報を基に監視制御パス情報を作成し、同報通信により各ノード１〜６に対して初期化を指示する。各ノード１〜６は、中継情報保持部２８を初期状態としてマスク設定を行う。即ち、各ノード１〜６は、図７に示すように、監視制御処理部２２が接続されたポートＰ５と他のポートＰ１〜Ｐ４との間のみが通信可能の状態に設定する。従って、各ノード１〜６は、監視制御データを中継しない状態となる。
【００７７】
次に、監視制御装置ＮＳＰは、接続情報を作成し、論理距離０のノード番号を読出し、論理距離０のノード１に対する中継情報を送出して設定指示を行う。ノード１は、監視制御処理部２２の制御により、受信した中継情報を中継情報保持部２８に保持し、監視制御データ中継部２５のマスク設定部２５ａにマスク設定する。そして、マスク設定の完了通知を監視制御装置ＮＳＰに送出する。
【００７８】
監視制御装置ＮＳＰは、論理距離０のノードからの完了通知により、論理距離１のノード番号を読出し、論理距離１のノード２，３に対して順次中継情報を送出して設定指示を行う。ノード１はノード２又は３に対する中継情報を、先に設定された中継経路に従って中継送出する。そして、図９に示す論理距離に従った設定シーケンスと同様に、各ノードに対する中継情報の送出が終了し、設定の完了通知を受信すると、各ノードの中継情報を収集して比較し、比較一致の場合に正常終了とする。
【００７９】
図１８はデータ周回のチェック説明図であり、ノード１，２，３の接続情報と中継情報との一例を示す。接続情報はポートに接続されるノードを示し、又中継情報はポート間を中継するか否かを示すものである。例えば、ノード１の接続情報として、ポート３接続ノードがノード２、ポート４接続ノードがノード３で、中継情報はポート３，３間の中継を示し、又ノード２の接続情報として、ポート１接続ノードがノード１、ポート４の接続ノードがノード３で、中継情報はポート１，４間の中継を示し、又ノード３の接続情報として、ポート１接続ノードがノード１、ポート２接続ノードがノード２で、中継情報はポート１，２間の中継を示すように設定された場合を示す。
【００８０】
この設定内容は、図１を参照すると、ノード１のポートＰ３とノード２のポートＰ１との間と、ノード２のポートＰ４とノード３のポート２との間と、ノード３のポートＰ１とノード１のポートＰ４との間に、それぞれ監視制御パスが設定されることを示すものである。従って、図１８の下方に示すように、ノード１→ノード２→ノード３→ノード１の周回経路が形成されることが判る。
【００８１】
このように、ノード対応の接続情報と中継情報とを基にデータ周回が発生するか否かをチェックすることができる。即ち、図２の監視制御パスチェック部１６は、接続情報保持部１８に保持された接続情報と、監視制御パス情報保持部１７に保持された中継情報とを基に、データ周回が発生するか否かをチェックすることができる。なお、図１８のノード２の中継情報のポート１←→ポート４の中継ありを中継なしに設定変更し、ノード３の中継情報のポート１←→ポート２の中継ありを中継なしに設定変更することにより、ノード２のポートＰ４とノード３のポート２との間の監視制御パスがなくなるから、データ周回が発生しないことになる。
【００８２】
本発明は、前述の各実施の形態のみに限定されるものではなく、又監視制御装置（ＮＳＰ）１０の各部の機能や、通信装置（ノード）の各部の機能は、プロセッサの機能により実現することができる。又更に多数のノードがメッシュ状に接続されたネットワークに対しても適用可能である。
【００８３】
【発明の効果】
以上説明したように、本発明は、監視制御装置（ＮＳＰ）１０からメッシュ状に接続された各ノード（通信装置）に対して監視制御パスを形成する為の中継情報を設定し、且つ監視制御装置に於いて、この中継情報により監視制御パスが周回状態を形成しないことを確認し、又ノード（通信装置）に設定した中継情報が正常に設定されたか否かを確認することができるものであり、従って、ノード（通信装置）の増設，撤去，監視制御パスの変更，追加等の場合も、監視制御装置に於いて一元管理により容易に対処することができる利点がある。又各ノード（通信装置）の監視制御データ中継部のマスク設定を監視制御装置からの中継情報に基づいて行うことから、作業性が良く、且つ誤設定が生じることがない利点がある。
【００８４】
又監視制御装置から各ノード（通信装置）に対する中継情報の設定を、論理距離に基づいて順次行うことにより、大規模のネットワークに対しても、比較的少ない情報量の中継情報を順次送出し、各ノード（通信装置）に順次監視制御パスを設定することができる。又一括して全ノード（通信装置）に対して中継情報を送出することもできるもので、この場合は、順次ノード（通信装置）に於ける中継経路が設定されて、順次中継送出することになるから、監視制御装置の処理が簡単となり、且つ逐次監視制御装置から中継情報をノード（通信装置）宛に送出する場合に比較して短時間で中継情報の設定を完了することができる利点がある。
【図面の簡単な説明】
【図１】本発明の実施の形態の監視制御システムの説明図である。
【図２】本発明の実施の形態の監視制御装置の説明図である。
【図３】本発明の実施の形態のノードの説明図である。
【図４】本発明の実施の形態の監視制御データ中継部の説明図である。
【図５】監視制御パス情報の説明図である。
【図６】接続情報の説明図である。
【図７】ノードの初期設定の説明図である。
【図８】監視制御パス設定手順の説明図である。
【図９】論理距離に従った設定シーケンス説明図である。
【図１０】一括送信による設定シーケンス説明図である。
【図１１】監視制御パス設定の説明図である。
【図１２】監視制御パス設定シーケンス説明図である。
【図１３】ノード増設の説明図である。
【図１４】ノード増設時の設定シーケンス説明図である。
【図１５】監視制御パス変更の説明図である。
【図１６】同報通信による設定変更のシーケンス説明図である。
【図１７】順次設定指示による設定変更のシーケンス説明図である。
【図１８】データ周回のチェック説明図である。
【図１９】ネットワークの説明図である。
【図２０】従来例の監視制御装置の説明図である。
【図２１】従来例のノードの説明図である。
【図２２】従来例の監視制御データ中継部の説明図である。
【符号の説明】
１〜６  ノード
１０  監視制御装置（ＮＳＰ）
２５  監視制御データ中継部
Ｐ１〜Ｐ５  ポート
Ｃ  監視制御処理部
【図１】
0004299411.tif 000002
【図２】
0004299411.tif 000003
【図３】
0004299411.tif 000004
【図４】
0004299411.tif 000005
【図５】
0004299411.tif 000006
【図６】
0004299411.tif 000007
【図７】
0004299411.tif 000008
【図８】
0004299411.tif 000009
【図９】
0004299411.tif 000010
【図１０】
0004299411.tif 000011
【図１１】
0004299411.tif 000012
【図１２】
0004299411.tif 000013
【図１３】
0004299411.tif 000014
【図１４】
0004299411.tif 000015
【図１５】
0004299411.tif 000016
【図１６】
0004299411.tif 000017
【図１７】
0004299411.tif 000018
【図１８】
0004299411.tif 000019
【図１９】
0004299411.tif 000020
【図２０】
0004299411.tif 000021
【図２１】
0004299411.tif 000022
【図２２】
0004299411.tif 000023